(57)【要約】【課題】オートプリセット動作に要する時間を短くする。【解決手段】メインチューナとサブチューナに対して最初に選局するチャネルをＳＴ１で設定する。メインチューナが選局中でないとき、設定されたチャネルの選局をＳＴ３で開始し、サブチューナが選局中でないとき、設定されたチャネルの選局をＳＴ５で開始する。何れかのチューナ側から、選局が完了して使用あるいは未使用チャネルであるかを示す判別信号がＳＴ６で供給されたとき、ＳＴ７では、この信号に基づく判別結果をチャネル番号と対応付けてプリセット情報として記憶する。ＳＴ８で使用チャネルと判別されたとき、このチャネルを選局するためのチューナ設定情報をＳＴ９でプリセット情報に追加する。プリセット情報の設定が完了したチューナには、ＳＴ１０〜ＳＴ１３で新たなチャネルを設定する。複数のチューナを並列して用いることで、オートプリセット動作に要する時間を短くできる。【選択図】        図２
2004260308.tif 000002
【特許請求の範囲】
【請求項１】
記憶手段に記憶されているプリセット情報に基づき複数のチューナを制御して所望のチャネルを選局する選局装置において、
前記チューナ毎に設けられて、該チューナで選局されたチャネルが使用チャネルであるか未使用チャネルであるかを示す判別信号を出力する判別信号出力手段と、
前記複数のチューナを同時に用いて、選局するチャネルを前記複数のチューナで重複しないように順次設定し、該設定したチャネルに対する前記判別信号と、該判別信号によって使用チャネルであることが示されたチャネルを選局するためのチューナ設定情報とを用いて、前記プリセット情報を生成する制御手段を有する
ことを特徴とする選局装置。
【請求項２】
前記制御手段では、第１の感度のチューナで選局されて前記使用チャネルと判別されたチャネルを、前記第１の感度よりも良好な感度のチューナで選局し、前記使用チャネルと判別されたチャネルを前記良好な感度のチューナで選局するためチューナ設定情報を用いて前記プリセット情報を生成する
ことを特徴とする請求項１記載の選局装置。
【請求項３】
前記制御手段では、前記複数のチューナに入力される入力信号が異なるとき、入力信号毎に前記選局するチャネルが重複しないように順次設定する
ことを特徴とする請求項１記載の選局装置。
【請求項４】
１つの画面上に前記複数のチューナで選局されたチャネルの画像を同時に表示する表示手段を有する
ことを特徴とする請求項１記載の選局装置。
【請求項５】
記憶されているプリセット情報に基づき複数のチューナを制御して所望のチャネルを選局する選局方法において、
前記チューナ毎に、該チューナで選局されたチャネルが使用チャネルであるか未使用チャネルであるかを示す判別信号を出力するものとし、
前記複数のチューナを同時に用いて、選局するチャネルを前記複数のチューナで重複しないように順次設定し、前記設定したチャネルに対する前記判別信号と、該判別信号によって使用チャネルであることが示されたチャネルを選局するためのチューナ設定情報とを用いて、前記プリセット情報を生成する
ことを特徴とする選局方法。
【請求項６】
第１の感度のチューナで選局されて前記使用チャネルと判別されたチャネルを、前記第１の感度よりも良好な感度のチューナで選局し、前記使用チャネルと判別されたチャネルを前記良好な感度のチューナで選局するためのチューナ設定情報を用いて前記プリセット情報を生成する
ことを特徴とする請求項５記載の選局方法。
【請求項７】
前記複数のチューナに入力される入力信号が異なるとき、入力信号毎に前記選局するチャネルが重複しないように順次設定する
ことを特徴とする請求項５記載の選局方法。
【請求項８】
１つの画面上に前記複数のチューナで選局されたチャネルの画像を同時に表示する
ことを特徴とする請求項５記載の選局方法。
【発明の詳細な説明】
【０００１】
【発明の属する技術分野】
この発明は、選局装置および選局方法に関する。詳しくは、記憶されているプリセット情報に基づき複数のチューナを制御して所望のチャネルを選局するとき、チューナ毎に、チューナで選局されたチャネルが使用チャネルであるか未使用チャネルであるかを示す判別信号を出力するものとし、複数のチューナを同時に用いて、選局するチャネルを複数のチューナで重複しないように順次設定し、設定したチャネルに対する判別信号と、判別信号によって使用チャネルであることが示されたチャネルを選局するためのチューナ設定情報とを用いてプリセット情報を生成するものである。
【０００２】
【従来の技術】
従来のテレビジョン受像機は、放送信号の有無をサーチして放送信号のあるチャネル（以下「使用チャネル」という）と、放送信号の無いチャネル（以下「未使用チャネル」という）を自動検索するいわゆるオートプリセット動作が可能とされている。
【０００３】
このオートプリセット動作を実行すると、受信可能な全チャネルに対して、使用チャネルか未使用チャネルかを判別し、チャネルごとの判別結果、すなわち使用チャネルであるか未使用チャネルであるかを示す情報、および使用チャネルであるときには放送信号を受信するためのチューナ設定情報等がプリセット情報として不揮発性メモリに記憶される。
【０００４】
その後、選局操作が行われたときには、選択されたチャネル番号のプリセット情報を不揮発性メモリから読み出し、このプリセット情報に含まれているチューナ設定情報に基づきチューナの選局動作を制御することで、選択されたチャネル番号の信号を受信できる。また、不揮発性メモリに記憶されているプリセット情報を利用することで、視聴者はチャネルアップキーあるいはチャネルダウンキーを操作することによって、使用チャネルのみを順次選択して、所望のチャネルを容易に選局できる。
【０００５】
また、近年の放送システムの多様化によって、地上アナログ放送やケーブルテレビ、衛星放送、インターネット配信等が行われており、視聴者が選択可能なチャネル数（放送局数）は飛躍的に増加している。例えば、ディジタル衛星放送は、１つの衛星で数百ものチャネルを確保することが可能である。このため、選択可能なチャネル数が増加するに伴い、オートプリセット動作を実行したときの処理時間が長くなってしまう。
【０００６】
一方、テレビジョン受像機は、録画機能や複数の放送番組を同時に表示する機能等を有する機種が多数開発されており、このような機能を有するテレビジョン受像機では、視聴者が選局した番組を表示するために用いるチューナだけでなく、録画機能や複数の放送番組を同時に表示する機能等を実現するためのチューナが別個に設けられている。
【０００７】
このため、特許文献１では、視聴者が選局した番組を表示するために用いるチューナとは異なるチューナでオートプリセット動作を実行し、オートプリセット動作中であっても所望の番組を視聴することが可能とされている。
【０００８】
【特許文献１】
特開平９−３２１５８０号公報
【０００９】
【発明が解決しようとする課題】
ところで、一方のチューナで所望の番組を視聴することを可能として、他方のチューナでオートプリセット動作を実行した場合、オートプリセット動作中は録画機能や複数の放送番組を同時に表示する機能等を利用することができない。さらに、選択可能なチャネル数が増加してオートプリセット動作時間が長くなると、これらの機能を利用できない期間も長くなってしまうことから、オートプリセット動作に要する時間は短いことが望ましい。
【００１０】
そこで、この発明では、複数のチューナを同時に用いてオートプリセット動作に要する時間を短くできる選局装置および選局方法を提供するものである。
【００１１】
【課題を解決するための手段】
この発明に係る選局装置は、記憶手段に記憶されているプリセット情報に基づき複数のチューナを制御して所望のチャネルを選局する選局装置において、前記チューナ毎に設けられて、該チューナで選局されたチャネルが使用チャネルであるか未使用チャネルであるかを示す判別信号を出力する判別信号出力手段と、前記複数のチューナを同時に用いて、選局するチャネルを前記複数のチューナで重複しないように順次設定し、前記設定したチャネルに対する前記判別信号と、該判別信号によって使用チャネルであることが示されたチャネルを選局するためのチューナ設定情報とを用いて、前記プリセット情報を生成する制御手段を有するものである。
【００１２】
また、この発明に係る選局方法は、記憶されているプリセット情報に基づき複数のチューナを制御して所望のチャネルを選局する選局方法において、前記チューナ毎に、該チューナで選局されたチャネルが使用チャネルであるか未使用チャネルであるかを示す判別信号を出力するものとし、前記複数のチューナを同時に用いて、選局するチャネルを前記複数のチューナで重複しないように順次設定し、前記設定したチャネルに対する前記判別信号と、該判別信号によって使用チャネルであることが示されたチャネルを選局するためのチューナ設定情報とを用いて、前記プリセット情報を生成するものである。
【００１３】
この発明においては、記憶されているプリセット情報に基づき複数のチューナを制御して所望のチャネルを選局する選局装置や選局方法において、感度の等しいチューナや感度の異なるチューナが用いられて、あるいは等しい信号や異なる信号がチューナに入力されて、選局するチャネルが複数のチューナで重複しないように順次設定される。ここで、選局されたチャネルが使用チャネルであるか未使用チャネルであるかを示す判別信号や、使用チャネルであることが判別信号で示されたチャネルを選局するためのチューナ設定情報とを用いてプリセット情報が生成される。複数のチューナの感度が異なるときには、第１の感度のチューナで選局されて使用チャネルと判別されたチャネルを、第１の感度よりも良好な感度のチューナで選局して、使用チャネルと判別されたチャネルを良好な感度のチューナで選局するためのチューナ設定情報を用いてプリセット情報が生成される。さらに、複数のチューナに入力される入力信号が異なるときには、入力信号毎に選局するチャネルが重複しないように順次設定される。
【００１４】
【発明の実施の形態】
以下、図を参照しながら、この発明の実施の一形態について説明する。図１は実施の一形態の構成、例えばテレビジョン受像機にこの発明を適用した場合の構成を示している。
【００１５】
アンテナ１１で受信した信号は、複数のチューナ例えばメインチューナ１２−１とサブチューナ１２−２に供給する。あるいは、アンテナ１１で受信した信号をメインチューナ１２−１に供給し、アンテナ１１’で受信した信号をサブチューナ１２−２に供給する。
【００１６】
メインチューナ１２−１は、後述する制御部５１からの選局信号に基づき局部発振周波数を制御して所望のチャネルを選局する。また、メインチューナ１２−１で得られた中間周波信号を中間周波信号処理部１３−１に供給する。さらに、中間周波信号処理部１３−１から自動周波数調整信号が供給されるときには、この自動周波数調整信号に基づいて、局部発振周波数のずれを補正する。
【００１７】
中間周波信号処理部１３−１は、中間周波信号の増幅や映像検波および音声検波を行い、ビデオ信号とオーディオ信号を生成して信号選択部１４に供給する。また、放送方式で規定されている映像搬送波周波数と、中間周波信号から抽出した映像搬送波周波数を比較して、２つ映像搬送波周波数が等しくなるようにメインチューナ１２−１における局部発振周波数のずれを補正する自動周波数調整信号を生成する。この自動周波数調整信号はメインチューナ１２−１に供給される。さらに、放送方式で規定されている映像搬送波周波数と中間周波信号から抽出した映像搬送波周波数が等しくなって所望のチャネルの選局が完了したことを検出したとき、映像検波後の信号に同期信号が含まれているか否かを判別して、選局したチャネルが使用チャネルであるか未使用チャネルであるかを示す判別信号を生成する。すなわち、同期信号が検出されたときにはビデオ信号が得られているから使用チャネル、同期信号が検出されないときにはビデオ信号が得られていないことから未使用チャネルとした判別信号を生成する。この判別信号は制御部５１に供給される。なお、判別信号は選局したチャネルが使用チャネルであるか未使用チャネルであるかを示すものであれば良く、上述のように同期信号を検出して生成される信号に限られるものではない。
【００１８】
サブチューナ１２−２は、メインチューナ１２−１と同様に、制御部５１からの選局信号に基づいて選局を行い中間周波信号を生成し、中間周波信号処理部１３−２に供給する。中間周波信号処理部１３−２から自動周波数調整信号が供給されるときには、この自動周波数調整信号に基づいて、局部発振周波数のずれを補正する。
【００１９】
中間周波信号処理部１３−２は、中間周波信号処理部１３−１と同様に、中間周波信号の増幅や映像検波および音声検波を行い、ビデオ信号とオーディオ信号を生成して信号選択部１４に供給する。また、サブチューナ１２−２における局部発振周波数のずれを補正するための自動周波数調整信号を生成や、サブチューナ１２−２で選局したチャネルが使用チャネルであるか未使用チャネルであるかを示す判別信号を生成する。この中間周波信号処理部１３−２で生成された自動周波数調整信号はサブチューナ１２−２に供給されるとともに、判別信号は制御部５１に供給される。
【００２０】
外部ビデオ入力端子２１に入力されたビデオ信号や外部オーディオ入力端子２２に入力されたオーディオ信号は、信号選択部１４に供給される。
【００２１】
信号選択部１４は、映像信号処理部３１−１，３１−２および音声信号処理部４１と接続されており、信号選択部１４は、制御部５１から供給された選択信号に基づき、映像信号処理部３１−１，３１−２に供給するビデオ信号と音声信号処理部４１に供給するオーディオ信号の選択を行う。
【００２２】
映像信号処理部３１−１，３１−２は、供給されたビデオ信号を輝度信号と色信号に分離する。また、色信号を色差信号に変換して、輝度信号と色差信号を多画面表示処理部３２に供給する。
【００２３】
多画面表示処理部３２は、制御部５１から供給された表示設定信号に基づき、表示モードの切り換えを行う。例えば多画面表示モードに設定されたときには、映像信号処理部３１−１，３１−２から供給された輝度信号と色差信号を用いて、映像信号処理部３１−１から供給された輝度信号と色差信号に基づく映像と映像信号処理部３１−２から供給された輝度信号と色差信号に基づく映像を一つの画面上に同時に表示する表示信号を生成して、駆動処理部３３に供給する。また、１画面表示モードに設定されたときには、映像信号処理部３１−１から供給された輝度信号と色差信号を用いて、この映像信号処理部３１−１から供給された輝度信号と色差信号に基づく映像のみを画面上に表示する表示信号を生成して、駆動処理部３３に供給する。
【００２４】
駆動処理部３３には、陰極線管あるいは液晶表示素子やプラズマ表示素子等を用いて構成された表示部３４が接続されており、駆動処理部３３は、供給された表示信号に基づき表示部３４を駆動するための駆動信号を生成する。また、駆動処理部３３は、映像の画歪み補正を行う。さらに、制御部５１から供給された表示制御信号に基づき、画質調整（例えば明るさや色相や鮮鋭度等の調整）等も行う。
【００２５】
表示部３４は、駆動処理部３３から供給された駆動信号に基づき、多画面表示モードであるときには、映像信号処理部３１−１から供給された輝度信号と色差信号に基づく映像と映像信号処理部３１−２から供給された輝度信号と色差信号に基づく映像を一つの画面上に複数同時に表示する。また、１画面表示モードに設定されたときには、映像信号処理部３１−１から供給された輝度信号と色差信号に基づく映像のみを画面上に表示する。
【００２６】
音声信号処理部４１は、制御部５１から供給された音声制御信号に基づき、供給されたオーディオ信号に対して音量や音質の調整を行う。さらにオーディオ信号がステレオ信号であるときにはバランス調整等も行い、調整後のオーディオ信号を増幅器４２に供給する。増幅器４２は、供給されたオーディオ信号を増幅してオーディオ出力信号として音声出力部４３に供給する。
【００２７】
制御部５１には、視聴者が操作を行う操作部５２や、リモートコントロール信号を受信するコントロール信号受信部５３が接続されている。制御部５１は、マイクロコンピュータ等を用いて構成されており、操作部５２やコントロール信号受信部５３から入力された操作情報と、後述する不揮発性メモリ６１に格納されているプリセット情報やラストチャネル情報に基づき選局信号を生成する。また、操作情報や不揮発性メモリ６１に記憶されている各種設定情報に基づき選択信号や表示設定信号、表示制御信号、音声制御信号等を生成し、生成した信号を用いる各部にバス７０を介して供給することで、テレビジョン受像機を操作情報に基づいて動作させる。さらに、制御部５１は、オートプリセット動作を実行して、判別信号出力手段である中間周波信号処理部１３−１，１３−２から供給された判別信号等に基づきプリセット情報を生成して、不揮発性メモリ６１に格納する。
【００２８】
なお、中間周波信号処理部１３−１，１３−２で生成した自動周波数調整信号を制御部５１に供給して、制御部５１では、局部発振周波数のずれをキャンセルするように選局信号を生成してメインチューナ１２−１やサブチューナ１２−２に供給するものとしても良い。
【００２９】
不揮発性メモリ６１は、制御部５１で各部の動作を制御するために必要とされる情報等を格納する。例えば、選局時に用いるプリセット情報、動作開始時に読み出されて動作終了時に選局されていたチャネルの表示を行うラストチャネル情報、表示モードや映像および音声に関する設定状態を示す各種設定情報等を格納する。
【００３０】
次に、オートプリセット動作について説明する。複数のチューナを用いてオートプリセット動作を行う場合、同等の感度を有するチューナを複数用いる場合と、感度の異なるチューナを用いる場合が考えられる。例えば図１に示すメインチューナ１２−１とサブチューナ１２−２として同等の感度を有するチューナを用いる場合と、主として用いるメインチューナ１２−１は感度の良好なチューナを用い、サブチューナ１２−２にはメインチューナ１２−１よりも感度が劣ったチューナを用いる場合が考えられる。また、複数のチューナを用いる場合、各チューナに入力される信号が等しいときと、異なるときが考えられる。例えば図１に示すメインチューナ１２−１とサブチューナ１２−２にアンテナ１１からの信号を供給する場合と、メインチューナ１２−１にはアンテナ１１からの信号を供給してサブチューナ１２−２にはアンテナ１１’からの信号を供給する場合が考えられる。このため、オートプリセット動作では、それぞれの構成に応じた動作を行う。
【００３１】
図２は、入力信号とチューナの感度が等しい場合のオートプリセット動作を示すフローチャートである。
【００３２】
オートプリセット動作が開始されると、ステップＳＴ１では、各チューナに対して最初に選局するチャネルの設定を行いステップＳＴ２に進む。ステップＳＴ２では、メインチューナ１２−１が選局中であるか否かを確認する。ここで、既に設定されているチャネルを受信するために局部発振周波数を可変して選局が行われているときにはステップＳＴ４に進む。また、既に設定されているチャネルの選局が終了しているときにはステップＳＴ３に進む。
【００３３】
ステップＳＴ３では、ステップＳＴ１あるいは後述するステップＳＴ１２で設定されたチャネルの選局をメインチューナ１２−１で開始させてステップＳＴ４に進む。設定されたチャネルの選局は、制御部５１からメインチューナ１２−１に対して、設定されたチャネルに対応する周波数の信号を選局するように選局信号を供給することで選局を開始させることができる。
【００３４】
ステップＳＴ４では、サブチューナ１２−２が選局中であるか否かを確認し、選局が終了しているときにはステップＳＴ５に進み、選局中であるときにはステップＳＴ６に進む。
【００３５】
ステップＳＴ５ではステップＳＴ３と同様にして、ステップＳＴ１あるいはステップＳＴ１２で設定されたチャネルの選局をサブチューナ１２−２で開始させてステップＳＴ６に進む。設定されたチャネルの選局は、制御部５１からサブチューナ１２−２に対して、設定されたチャネルに対応する周波数の信号を選局するように選局信号を供給することで選局を開始させることができる。
【００３６】
ステップＳＴ６では、設定されたチャネルの選局が完了して、判別信号が中間周波信号処理部１３−１あるいは中間周波信号処理部１３−２から供給されたか否かを検出する。ここで、メインチューナ１２−１とサブチューナ１２−２がともに選局中であり判別信号が供給されていないときにはステップＳＴ６に戻る。また、メインチューナ１２−１あるいはサブチューナ１２−２のいずれか一方の選局が完了して、中間周波信号処理部１３−１あるいは中間周波信号処理部１３−２のいずれかから判別信号が供給されたことを検出したときにはステップＳＴ７に進む。
【００３７】
ステップＳＴ７では、プリセット情報を不揮発性メモリに書き込む処理を行う。ここで、中間周波信号処理部１３−１から判別信号が供給されたとき、メインチューナ１２−１で選局を行ったチャネルのチャネル番号と、判別信号で示されたチャネル判別結果（選局されたチャネルが使用チャネルであるか未使用チャネルであるかを示す情報）を対応付けて、プリセット情報として不揮発性メモリ６１に格納する。また、中間周波信号処理部１３−２から判別信号が供給されたとき、サブチューナ１２−２で選局を行ったチャネルのチャネル番号と判別信号を対応付けてプリセット情報として不揮発性メモリ６１に格納する。
【００３８】
次に、ステップＳＴ８では、ステップＳＴ６で検出した判別信号が使用チャネルであることを示しているか否かを判別する。ここで、使用チャネルであることを示しているときにはステップＳＴ９に進み、未使用チャネルであることを示しているときにはステップＳＴ１０に進む。
【００３９】
ステップＳＴ９では、ステップＳＴ７で格納したプリセット情報に、このチャネルを選局するためのチューナ設定情報を追加してステップＳＴ１０に進む。このチューナ設定情報は、メインチューナ１２−１やサブチューナ１２−２が周波数シンセサイザー方式であるとき、例えば基準発振周波数を分周して選局するチャネルに応じた局部発振周波数を得るための分周比あるいは引き込み周波数等をチューナ設定情報として用いる。また、メインチューナ１２−１やサブチューナ１２−２が電圧シンセサイザー方式であるときには、例えば選局電圧を生成するための設定値等をチューナ設定情報として用いる。
【００４０】
図３は、プリセット情報の一構成を示している。プリセット情報は、上述したようにチャネル番号とチャネル判別結果とチューナ設定情報を有している。ここで例えばチャネル番号「Ｃｈｍｉｎ」を選局したときに判別信号によって使用チャネルと判別された場合には、チャネル番号「Ｃｈｍｉｎ」とチャネル判別結果「使用チャネル」およびチューナ設定情報「ＴＵ−ｍｉｎ」が対応付けられて、１つのチャネルのプリセット情報として不揮発性メモリ６１に格納されることとなる。また、例えばチャネル番号「Ｃｈｍｉｎ＋２」を選局したときに判別信号によって未使用チャネルと判別された場合には、チャネル番号「Ｃｈｍｉｎ」とチャネル判別結果「未使用チャネル」が対応付けられて、１つのチャネルのプリセット情報として不揮発性メモリ６１に格納されることとなる。
【００４１】
ステップＳＴ１０では、設定したチャネルのプリセットが完了したことを示す完了フラグを、プリセット情報の格納を行ったチューナ側に設定してステップＳＴ１１に進む。
【００４２】
ステップＳＴ１１では、全チャネルのプリセットが完了したか否かを判別する。ここで、全チャネルのプリセットが完了していないときにはステップＳＴ１２に進み、全チャネルのプリセットが完了したときにはオートプリセット動作を終了する。
【００４３】
ステップＳＴ１２では、完了フラグを設定したチューナ側に対して、プリセットが行われていない新たなチャネルを設定してステップＳＴ１３に進む。ステップＳＴ１３では、完了フラグを解除してステップＳＴ２に戻る。
【００４４】
このように、複数のチューナを用いて、それぞれのチューナで異なるチャネルのプリセットを並列して独立に行い、使用チャネルであるか未使用チャネルであるかを示すチャネル判別結果や使用チャネルと判別されたときのチューナ設定情報が、設定されたチャネルのチャネル番号と対応付けられて、プリセット情報として不揮発性メモリ６１に格納される。また、１つのチャネルのプリセットが完了したときには、新たなチャネルが設定されて次のプリセットが自動的に行われる。このため、１つのチューナでオートプリセット動作を行う場合に比べて効率良く短時間でオートプリセット動作を完了できる。例えば２台のチューナで並列してプリセット動作を行うことで、オートプリセット動作に要する時間を略半分にできる。
【００４５】
次に、入力信号が等しくチューナの感度が異なる場合、例えばメインチューナ１２−１に比べてサブチューナ１２−２の感度が低い場合のオートプリセット動作を図４，図５のフローチャートを用いて説明する。
【００４６】
オートプリセット動作が開始されると、ステップＳＴ２１では、各チューナで最初に選局するチャネルを設定してステップＳＴ２２に進む。ステップＳＴ２２では、メインチューナ１２−１が選局中であるか否かを確認し、選局中でないときにはステップＳＴ２３に進み、選局中であるときにはステップＳＴ２４に進む。ステップＳＴ２３では、上述のステップＳＴ３と同様にして、ステップＳＴ２１あるいは後述するステップＳＴ３３で設定されたチャネルの選局をメインチューナ１２−１で開始させてステップＳＴ２４に進む。
【００４７】
ステップＳＴ２４では、サブチューナ１２−２が選局中であるか否かを確認し、選局中でないときにはステップＳＴ２５に進み、選局中であるときにはステップＳＴ２６に進む。ステップＳＴ２５では、上述のステップＳＴ５と同様にして、ステップＳＴ２１あるいは後述するステップＳＴ３３で設定されたチャネルの選局をサブチューナ１２−２で開始させてステップＳＴ２６に進む。
【００４８】
ステップＳＴ２６では、設定されたチャネルの選局が完了して、判別信号が中間周波信号処理部１３−１あるいは中間周波信号処理部１３−２から供給されたか否かを検出する。ここで、メインチューナ１２−１とサブチューナ１２−２がともに選局中であり判別信号が供給されていないときにはステップＳＴ２６に戻る。また、メインチューナ１２−１あるいはサブチューナ１２−２のいずれか一方のチューナでの選局が完了して、中間周波信号処理部１３−１あるいは中間周波信号処理部１３−２のいずれかから判別信号が供給されたことを検出したときにはステップＳＴ２７に進む。
【００４９】
ステップＳＴ２７では、プリセット情報を不揮発性メモリに格納する。ここで、中間周波信号処理部１３−１から判別信号が供給されたとき、メインチューナ１２−１で選局を行ったチャネルのチャネル番号と判別信号で示されたチャネル判別結果を対応付けて、プリセット情報として不揮発性メモリ６１に格納する。また、中間周波信号処理部１３−２から判別信号が供給されたとき、サブチューナ１２−２で選局を行ったチャネルのチャネル番号と判別信号で示されたチャネル判別結果を対応付けて、プリセット情報として不揮発性メモリ６１に格納する。
【００５０】
次に、ステップＳＴ２８では、ステップＳＴ２６で検出した判別信号が使用チャネルであることを示しているか否かを判別する。ここで、使用チャネルであることを示しているときにはステップＳＴ２９に進み、未使用チャネルであることを示しているときにはステップＳＴ３１に進む。
【００５１】
ステップＳＴ２９では、判別信号の供給がメインチューナ側、すなわちメインチューナ１２−１と接続された中間周波信号処理部１３−１から供給されたか否かを判別する。ここで、メインチューナ側から供給されたときにはステップＳＴ３０に進む。また、判別信号の供給がサブチューナ側である中間周波信号処理部１３−２から供給されたときにはステップＳＴ３１に進む。
【００５２】
ステップＳＴ３０では、ステップＳＴ２７で格納したチャネルのプリセット情報に、このチャネルを選局するためのチューナ設定情報を追加してステップＳＴ３１に進む。
【００５３】
ステップＳＴ３１では、設定したチャネルのプリセットが完了したことを示す完了フラグを、プリセット情報の格納を行ったチューナ側に設定してステップＳＴ３２に進む。
【００５４】
ステップＳＴ３２では、全チャネルの選局が完了したか否かを判別する。ここで、全チャネルの選局が完了していないときにはステップＳＴ３３に進み、全チャネルの選局が完了したときには図５のステップＳＴ３５に進む。
【００５５】
ステップＳＴ３３では、完了フラグを設定したチューナ側に対して、プリセットが行われていない新たなチャネルを設定してステップＳＴ３４に進む。ステップＳＴ３４では、完了フラグを解除してステップＳＴ２２に戻る。
【００５６】
全チャネルの選局が完了してステップＳＴ３２からステップＳＴ３５に進むと、ステップＳＴ３５では、メインチューナ１２−１に対するチャネルの再設定を行う。このチャネルの再設定では、サブチューナ１２−２によって使用チャネルと判別されたチャネルの中で、メインチューナ１２−１によって選局されていないチャネルをメインチューナ１２−１に設定してステップＳＴ３６に進む。ここで、メインチューナ１２−１で選局されて使用チャネルと判別されたチャネルでは、ステップＳＴ２９とステップＳＴ３０および後述するステップＳＴ３８の処理によってチューナ設定情報がプリセット情報に追加される。このため、使用チャネルと判別されたチャネルの中で、プリセット情報にチューナ設定情報が含まれていないチャネルを検出すれば、サブチューナ１２−２によって使用チャネルと判別されたチャネルの中で、メインチューナ１２−１によって選局されていないチャネルを簡単に判別できる。なお、プリセット情報にメインチューナ１２−１あるいはサブチューナ１２−２のいずれで選局されたかを示す使用チューナ情報を設けて、この使用チューナ情報を参照して、サブチューナ１２−２で選局されたチャネルを判別することもできる。
【００５７】
ステップＳＴ３６では、設定されたチャネルの選局をメインチューナ１２−１で開始させてステップＳＴ３７に進む。ステップＳＴ３７では、中間周波信号処理部１３−１から判別信号が供給されたか否かを検出する。ここで、判別信号が供給されていないときにはステップＳＴ３７に戻り、選局が完了して判別信号が供給されたときにはステップＳＴ３８に進む。
【００５８】
ステップＳＴ３８では、ステップＳＴ３５で設定されたチャネルのプリセット情報に、このチャネルを選局するためのチューナ設定情報を追加してステップＳＴ３９に進む。
【００５９】
ステップＳＴ３９では、サブチューナ１２−２で選局した全ての使用チャネルをメインチューナ１２−１によって選局したか否かを判別する。ここで、全てのチャネルの選局が完了していないときにはステップＳＴ３５に戻り、残りのチャネルの選局を行う。また、全ての選局が完了したときにはオートプリセット動作を終了する。
【００６０】
このように、複数設けられているチューナの感度が異なる場合、使用チャネルであるか未使用チャネルであるかの判別は、複数のチューナで並列して行い、所望のチャネルを選局するために用いるチューナ設定情報は、感度の良好なチューナを利用して決定する。このため、チューナの感度が異なる場合であっても、オートプリセット動作を効率良く短時間で完了できる。また、所望のチャネルを選局する際に用いるチューナ設定情報を正しく設定できる。
【００６１】
次に、入力信号が異なる場合について説明する。例えば地上波アナログ放送を受信した信号がメインチューナ１２−１に供給されるとともに、衛星放送を受信した信号がサブチューナ１２−２に供給される場合、上述の図２に示すフローチャートと同様な処理を行う。すなわち、メインチューナ１２−１で地上波アナログ放送に対するチャネルのプリセットを行うとともに、サブチューナ１２−２で衛星放送に対するチャネルのプリセットを並列して行う。このように入力信号が異なる場合であっても、メインチューナ１２−１とサブチューナ１２−２でプリセット動作を並列して行うことで、プリセット動作を効率良く短時間で完了できる。
【００６２】
オートプリセット動作でメインチューナ１２−１とサブチューナ１２−２にチャネルを設定する場合、メインチューナ１２−１での検索方向（チャネルの設定順序方向）とサブチューナ１２−２での検索方向（チャネルの設定順序方向）を逆方向とする。例えば図６Ａに示すように、メインチューナ１２−１では、最小チャネルＣｈｍｉｎから最大チャネルＣｈｍａｘの方向に検索を行う（なお○印は選局するチャネルを示している）。また、サブチューナ１２−２では、最大チャネルＣｈｍａｘから最小チャネルＣｈｍｉｎの方向に検索を行う。この場合、設定するチャネルが等しくなるときオートプリセット動作を終了することで、各チューナでチャネルの重複を生ずることなく選局を行いプリセット情報を不揮発性メモリ６１に格納させることができる。
【００６３】
また、入力信号が等しい場合には、一方向に検索を行うものとして、プリセット動作が完了したチューナに順次新たなチャネルを振り分けるものとしても良い。例えば、図６Ｂに示すように、最小チャネルＣｈｍｉｎ側から選局するチャネルを振り分けて、振り分けるチャネルが無くなったときにオートプリセット動作を終了する（なお○印は選局するチャネルを示している）。このように、選局するチャネルを設定すれば、３つ以上のチューナを用いる場合であっても、各チューナに対してチャネルの重複を生ずることなく容易に選局するチャネルを設定できる。
【００６４】
さらに、オートプリセット動作中は、表示部３４で１つのチューナの検索動作に関する画像表示を行うものとしても良いが、表示部３４で多画面表示が可能であるときには、メインチューナ１２−１での選局動作とサブチューナ１２−２での選局動作に関する表示を行うものとしても良い。例えば、図７Ａに示すように、メインチューナ１２−１での選局画像Ｐａとサブチューナ１２−２での選局画像Ｐｂを表示すれば、表示された画像によって各チューナでの選局状況をユーザが視覚的に把握できる。また、使用チャネルと判別された最も新しいチャネルの選局画像Ｐｃ１を図７Ｂに示すように表示画面の中央に表示して、既に選局された使用チャネルの選局画像Ｐｃ２〜Ｐｃ１３をサムネイル画像として表示すれば、どのような使用チャネルが設定されたかをユーザが視覚的に把握できる。
【００６５】
また、テレビジョン受像機に限らず、複数のチューナを有する機器例えば受信した放送番組をビデオテープや光ディスク，磁気ディスク等に記録する記録装置等にも適用できることは勿論である。
【００６６】
このように、上述の実施の形態によれば、複数のチューナを並列して動作させてチャネルのプリセット動作を自動的に行えるので、従来のように１つのチューナでオートプリセット動作を行う場合に比べて、オートプリセット動作に要する時間を大幅に短縮できる。
【００６７】
【発明の効果】
この発明によれば、複数のチューナが同時に用いられるとともに、チューナ毎に、チューナで選局されたチャネルが使用チャネルであるか未使用チャネルであるかを示す判別信号が出力される。この複数のチューナには、選局するチャネルが重複しないように順次設定されて、この設定したチャネルに対する判別信号と、この判別信号によって使用チャネルであることが示されたチャネルを選局するためのチューナ設定情報とを用いて、プリセット情報が生成される。このように、複数のチューナを並列して用いてプリセット情報を生成できるので、チャネル数が多いときでも短時間でオートプリセット動作を完了できる。
【００６８】
また、第１の感度のチューナで選局されて使用チャネルと判別されたチャネルが、第１の感度よりも良好な感度のチューナで選局されて、この使用チャネルと判別されたチャネルを良好な感度のチューナで選局するためのチューナ設定情報を用いてプリセット情報が生成される。このため、感度の異なるチューナを用いる場合であっても、短時間でオートプリセット動作を完了できる。
【００６９】
さらに、複数のチューナに入力される入力信号が異なるとき、入力信号毎に選局するチャネルが重複しないように順次設定されるので、入力信号が異なるときでも、短時間でオートプリセット動作を完了できる。また、１つの画面上に複数のチューナで選局されたチャネルの画像が同時に表示されるので、オートプリセット動作を視覚的に確認できる。
【図面の簡単な説明】
【図１】この発明に係る実施の一形態の構成を示す図である。
【図２】入力信号とチューナの感度が等しい場合のオートプリセット動作を示すフローチャートである。
【図３】プリセット情報を示す図である。
【図４】入力信号が等しくチューナの感度が異なる場合のオートプリセット動作（１／２）を示すフローチャートである。
【図５】入力信号が等しくチューナの感度が異なる場合のオートプリセット動作（２／２）を示すフローチャートである。
【図６】検索方向を示す図である。
【図７】オートプリセット動作時の表示画像を示す図である。
【符号の説明】
１１，１１’・・・アンテナ、１２−１・・・メインチューナ、１２−２・・・サブチューナ、１３−１，１３−２・・・中間周波信号処理部、１４・・・信号選択部、２１・・・外部ビデオ入力端子、２２・・・外部オーディオ入力端子、３１−１，３１−２・・・映像信号処理部、３２・・・多画面表示処理部、３３・・・駆動処理部、３４・・・表示部、４１・・・音声信号処理部、４２・・・増幅器、４３・・・音声出力部、５１・・・制御部、５２・・・操作部、５３・・・コントロール信号受信部、６１・・・不揮発性メモリ、７０・・・バス
【図１】
2004260308.tif 000003
【図２】
2004260308.tif 000004
【図３】
2004260308.tif 000005
【図４】
2004260308.tif 000006
【図５】
2004260308.tif 000007
【図６】
2004260308.tif 000008
【図７】
2004260308.tif 000009